(57)【特許請求の範囲】
【請求項１】
ＩＣチップのパッド及びリードフレームのリードの各ボンディング座標点を含むデータを記録した記録媒体を作成する方法であって、
ＩＣチップのパッド、リードフレームのリード及びパッドとリードとを連結するワイヤの座標データを含む設計データをそれぞれ属性データとともに記憶したＣＡＤシステムのファイルの中から、ボンディング座標を記録した記録媒体を作成しようとするファイルを選定させるファイル選定手段と、
前記ファイル選定手段で選定されたファイルに記録されたリードフレームの設計パターンを画像表示する画像表示手段と、
前記画像表示手段で画像表示されたリードフレームの向きと、ボンディング時のリードフレームの搬送の向きとが一致しているか否かを入力させる向き入力手段と、
前記ファイル選定手段で選定されたファイルから属性データに基づいてワイヤの設計データを特定するとともに、その設計データからワイヤの始点及び終点を読み取ってボンディング座標点に設定するボンディング座標点読み取り手段と、
前記ボンディング座標点読み取り手段により読み取られたボンディング座標点のうち最も距離が遠い２点のボンディング座標点、又は、入力させた特定の点を目合わせ点に指定する目合わせ点指定手段と、
前記ボンディング座標点読み取り手段により読み取られたボンディング座標点及び前記目合わせ点指定手段で指定された目合わせ点を、前記向き入力手段で入力された向きに対応させて座標変換処理を行う座標変換手段と、
前記座標変換手段を経たボンディング座標点及び目合わせ点を記録媒体に記録する記録手段と
を含むことを特徴とするボンディング座標を記録した記録媒体の作成方法。
【請求項２】
請求項１に記載のボンディング座標を記録した記録媒体の作成方法において、
前記ボンディング座標点読み取り手段により読み取られたボンディング座標点のボンディング順番を入力させるボンディング順番入力手段を含み、
前記記録手段は、前記ボンディング順番入力手段により入力されたボンディング順番を検知可能にボンディング座標点を記録媒体に記録することを特徴とするボンディング座標を記録した記録媒体の作成方法。
【請求項３】
請求項１又は請求項２に記載のボンディング座標を記録した記録媒体の作成方法において、
前記ファイル選定手段で選定されたファイルに複数のＩＣチップの設計データがあるときにＩＣチップ数を入力させるＩＣチップ数入力手段を含むことを特徴とするボンディング座標を記録した記録媒体の作成方法。
【発明の詳細な説明】
【０００１】
【発明の属する技術分野】
本発明は、ＩＣチップのパッド及びリードフレームのリードの各ボンディング座標を記録した記録媒体を作成する、ボンディング座標を記録した記録媒体の作成方法に関するものである。
【０００２】
【従来の技術】
ＩＣチップのパッドとリードフレームのリードとをワイヤボンディングする場合には、ボンディング座標のデータをＦＤ（フロッピーディスク）等の記録媒体に記録し、このＦＤに記録したボンディング座標のデータをボンディングマシンで読み取り、このデータに基づいてワイヤボンディングを行っている。
従来より、ＩＣチップ及びリードフレームのパターン設計は、ＣＡＤシステムにより行われており、上記ＦＤを作成するには、作業者がＣＡＤシステムのモニタ上に画像表示したＩＣチップ及びリードフレームのパターンから目視でボンディング座標点をマウス等で指定し、画面表示されたボンディング座標点（二次元座標）を直接キー入力し、この値をＦＤに記録していた。
【０００３】
【発明が解決しようとする課題】
しかし、前述の従来のＦＤの作成方法では、ボンディング座標点のキー入力に多大の時間と労力を要し、作業が煩雑であるという問題があった。また、ボンディング座標点の入力ミスが生じやすいという問題があった。
したがって、本発明が解決しようとする課題は、ボンディング座標のデータを記録したＦＤ等の記録媒体を簡易かつ正確に作成することである。
【０００４】
【課題を解決するための手段】
上述の課題を解決するために、請求項１の発明は、ＩＣチップのパッド及びリードフレームのリードの各ボンディング座標点を含むデータを記録した記録媒体を作成する方法であって、ＩＣチップのパッド、リードフレームのリード及びパッドとリードとを連結するワイヤの座標データを含む設計データをそれぞれ属性データとともに記憶したＣＡＤシステムのファイルの中から、ボンディング座標を記録した記録媒体を作成しようとするファイルを選定させるファイル選定手段と、前記ファイル選定手段で選定されたファイルに記録されたリードフレームの設計パターンを画像表示する画像表示手段と、前記画像表示手段で画像表示されたリードフレームの向きと、ボンディング時のリードフレームの搬送の向きとが一致しているか否かを入力させる向き入力手段と、前記ファイル選定手段で選定されたファイルから属性データに基づいてワイヤの設計データを特定するとともに、その設計データからワイヤの始点及び終点を読み取ってボンディング座標点に設定するボンディング座標点読み取り手段と、前記ボンディング座標点読み取り手段により読み取られたボンディング座標点のうち最も距離が遠い２点のボンディング座標点、又は、入力させた特定の点を目合わせ点に指定する目合わせ点指定手段と、前記ボンディング座標点読み取り手段により読み取られたボンディング座標点及び前記目合わせ点指定手段で指定された目合わせ点を、前記向き入力手段で入力された向きに対応させて座標変換処理を行う座標変換手段と、前記座標変換手段を経たボンディング座標点及び目合わせ点を記録媒体に記録する記録手段とを含むことを特徴とする。
【０００５】
請求項２の発明は、請求項１に記載のボンディング座標を記録した記録媒体の作成方法において、前記ボンディング座標点読み取り手段により読み取られたボンディング座標点のボンディング順番を入力させるボンディング順番入力手段を含み、前記記録手段は、前記ボンディング順番入力手段により入力されたボンディング順番を検知可能にボンディング座標点を記録媒体に記録することを特徴とする。
【０００６】
請求項３の発明は、請求項１又は請求項２に記載のボンディング座標を記録した記録媒体の作成方法において、前記ファイル選定手段で選定されたファイルに複数のＩＣチップの設計データがあるときにＩＣチップ数を入力させるＩＣチップ数入力手段を含むことを特徴とする。
【０００７】
【作用】
本発明においては、ＣＡＤシステム等で設計された設計データの中からボンディング座標を記録した記録媒体を作成しようとするファイルがオペレータにより選定されると、リードフレームの設計パターンが画像表示される。そして、画像表示されたリードフレームの向きとボンディング時のリードフレームの搬送の向きとが一致しているか否かがオペレータにより入力されると、選定されたファイルからワイヤの設計データが特定され、その設計データからワイヤの始点及び終点が読み取られてボンディング座標点とされる。また、ボンディング座標点又はオペレータによって入力された点により目合わせ点が指定されると、リードフレームの搬送の向きに対向して座標変換処理が行われて、ボンディング座標点及び目合わせ点が記録媒体に記録される。したがって、ファイルの選定及びリードフレームの向き等がオペレータにより入力されれば、自動的にボンディング座標を記録した記録媒体が作成される。
【０００８】
【発明の実施の形態】
以下、図面等を参照して、本発明の一実施形態について説明する。図１は、本発明の一実施形態で用いられるシステムの構成を示すブロック図であり、図２は、図１のパソコン１３での入力操作及びパソコン１３のソフトウェア処理を示すフローチャートである。本発明では、記録媒体は、磁気ディスク、光ディスク又は光磁気ディスク等のいずれでも良いが、本実施形態では、その一例としてＦＤ（フロッピーディスク）を例に挙げている。
【０００９】
ＩＣチップ及びリードフレームのパターン設計は、ＣＡＤシステム１１により行われ、ここで設計されたデータは、ＣＡＤシステム１１と電気的に接続された（又はＣＡＤシステム１１内の）ハードディスク等の記憶部１２に格納される。また、設計データは、１つのＩＣチップ及びリードフレームごとにファイル名を付して記憶される。記憶されるデータとしては、ＩＣチップのパッド、リードフレームのリード及びパッドとリードとを連結するワイヤの各パターン及び座標（位置）データ、並びにこれらを特定するための属性データを含む設計データである。なお、座標データは、（ｘ，ｙ）の二次元座標である。
【００１０】
ＣＡＤシステム１１には、パソコン１３が電気的に接続されており、このパソコン１３にボンディング座標点を記録したＦＤを作成するためのソフトウェアがインストールされている。そして、このソフトウェアを起動させてＦＤを作成する。
先ず、図２のステップ１において、オペレータは、パソコン１３のソフトウェアによりファイル名を入力して、記憶部１２の中の読み込むべき（ＦＤを作成しようとする）ファイルを選定する（ファイル選定手段）。これにより、そのファイルに記録されたＩＣチップやリードフレームの画像データがパソコン１３のＣＲＴに出力される（画像表示手段）。
【００１１】
次に、ステップ２において、オペレータは、画像表示されたリードフレームを見て、リードフレームの設計パターンの向きと、ボンディング時のリードフレームの搬送方向の向きとが一致しているか否か（上下逆であるか否か）を判別し、一致しているか否かをパソコン１３のソフトウェアによりキー入力する（向き入力手段）。
さらに、図２のフローチャートには示していないが、ファイル選定手段で選定したファイルに複数のＩＣチップの設計パターンのデータがあるときに、ＩＣチップ数を入力する（ＩＣチップ数入力手段）。
【００１２】
以上のデータが入力されると、ソフトウェアは、次のステップ３に進み、指定されたファイルからボンディング座標点のデータを読み取る（ボンディング座標点読み取り手段）。ここで、ボンディング座標点は、以下のようにして読み取る。先ず、ファイル中の設計データから属性データに基づいてワイヤの設計データを特定する。すなわち、ＩＣチップのパッド、リードフレームのリード及びパッドとリードとを連結するワイヤの設計データには、それぞれ個別の属性データが付されているので、この属性データを判別することによりワイヤの設計データを特定する。そして、ワイヤの設計データから、そのワイヤの始点及び終点の座標データを読み取り、この座標点をボンディング座標点に設定する。
【００１３】
次に、ステップ４で、目合わせ点の指定を行う（目合わせ点指定手段）。この目合わせ点は、設計上の基準点となるものであって、ＩＣチップのパッドやリードフレームのリードの位置や角度のズレを補正するために用いられるものである。目合わせ点を指定する第１の方法として、ソフトウェアは、ボンディング座標点読み取り手段により読み取られた複数のボンディング座標点のうち、最も距離が遠い２点を選別し、その２点を目合わせ点に指定する。また、第２の方法として、ボンディング座標点を目合わせ点として用いないときは、ソフトウェアは、オペレータによりマウス等で特定の点を入力させ、その点を目合わせ点に指定する。
【００１４】
そして、ステップ５で、ソフトウェアは、ステップ３で読み取ったボンディング座標点及びステップ４で指定された目合わせ点を、向き入力手段で入力された向きに対応させて、座標変換処理を行う（座標変換手段）。すなわち、リードフレームの設計パターンと搬送方向との向きが一致しているときは、座標変換処理は行わないが、向きが上下逆であるときは、ボンディング座標点及び目合わせ点を１８０度回転させる座標変換処理を行う。
次に、ステップ６で、この座標変換手段を経たボンディング座標点及び目合わせ点をＦＤに記録する（記録手段）。すなわち、パソコン１３に実装されたＦＤ用のリーダライタにＦＤを挿入し、ソフトウェアにより上記ボンディング座標点及び目合わせ点をＦＤに書き込む。
【００１５】
ここで、ボンディング座標点は、画像データ中の上側から順に読み取られ、その順にＦＤに記録され、ボンディング時にはこの順番がそのままボンディング順番となる。しかし、ボンディング作業順番がボンディング座標点の読み取り順番と異なるときには、ソフトウェアで、ＦＤに記録するボンディング座標点の記録順番を変更可能である（ボンディング順番変更手段）。例えば、キー入力によってボンディング順番を入力させ、ＦＤに記録するボンディング座標点の順番を変更する。このボンディング順番の変更は、ボンディング座標点のＦＤへの記録前に行うことに限らず、ＦＤへの記録後にボンディング順番を入力させ、ＦＤに記録した内容を書き換えるようにしても良い。また、ボンディング座標点のデータごとに、ボンディング順番のデータを付随させても良い。
【００１６】
以上の処理により、ボンディング座標等のデータを記録したＦＤが形成される。そして、ボンディング時には、図１において、ボンディングマシン１４の動作を制御する制御部１５と電気的に接続されたＦＤ用のリーダライタ１６にＦＤを挿入する。制御部１５は、リーダライタ１６にてＦＤに記録されたボンディング座標のデータを読み取り、このデータに基づいてボンディングマシン１４の動作を制御して、ボンディングを行う。
なお、上述のデータの他に、種々のボンディングに関するデータ、例えばＩＣチップの品種名のデータをＦＤに記録しておき、ボンディング時にその品種名のデータを読み取って、ボンディングマシン１４の表示部にＩＣチップの品種名を表示するようにしても良い。
【００１７】
よって、本発明では、ボンディング座標点等をオペレータが直接キー入力することを必要とせず、ＣＡＤシステムで行ったパターン設計時の設計データからボンディング座標点を読み取り、自動でＦＤに記録することができ、ボンディング座標点等の入力作業を不要にするとともに、入力ミスをなくすことができる。
【００１８】
なお、以上の実施形態では、ＣＡＤシステム１１とパソコン１３とを別個に設けたが、これに限らず、パソコン１３を用いないことも可能である。
すなわち、ＣＡＤシステム１１の記憶部１２にソフトウェアをインストールしておくとともに、ＣＡＤシステム１１が上記パソコン１３の機能を兼ねるようにし、さらにＣＡＤシステム１１にＦＤ用リーダライタを実装する。そして、ＣＡＤシステム１１によってソフトウェアを起動して、上述の操作を行えば良い。これにより、ＣＡＤシステム１１のみでＦＤを作成することができる。
【００１９】
【発明の効果】
本発明によれば、ＩＣチップのパッド、リードフレームのリード及びパッドとリードとを連結するワイヤの設計データから、ボンディング座標点を読み取り、自動で記録媒体に記録するようにしたので、ボンディング座標点等の入力作業を不要にするとともに、入力ミスをなくすことができ、記録媒体の作成を容易にすることができる。
【図面の簡単な説明】
【図１】 本発明の一実施形態で用いられるシステムの構成を示すブロック図である。
【図２】 図１のパソコンでの入力操作及びパソコンのソフトウェア処理を示すフローチャートである。
【符号の説明】
１１  ＣＡＤシステム
１２  記憶部
１３  パソコン
１４  ボンディングマシン
１５  制御部
１６  リーダライタ
【図１】
0003757057.tif 000002
【図２】
0003757057.tif 000003